(57)【要約】【課題】簡単な構成で入射面および射出面の汚れを除去することが可能な光学素子を有する画像機器およびカメラを提供する。【解決手段】撮影光路中に配置され、光束が入射する入射面と、光束が射出される射出面とを有するハーフミラー４０１の入射面には３００ｎｍ〜４００ｎｍの波長域の光に対し光触媒機能を持つＴｉＯ２膜（光触媒層）４５３がコーティングされ、射出面には少なくとも４００ｎｍを超える波長域に対し光触媒機能を持つＴｉＯ２膜（光触媒層）４６３がコーティングされており、ハーフミラー４０１の入射面および射出面の両面に付着した付着物を分解し、清浄に保つ。【選択図】  図６
2008042488.tif 000002
【特許請求の範囲】
【請求項１】
光学的な画像を生成するための光路中に配され、光束が入射する入射面と、光束が射出される射出面とを有する光学素子と、
上記入射面に施され、第１の波長域の光に対し光触媒機能を持つ第１のコーティングと、
上記射出面に施され、第２の波長域の光に対し光触媒機能を持つ第２のコーティングと、
を具備することを特徴とする画像機器。
【請求項２】
上記第２の波長域は上記第１の波長域よりも広いことを特徴とする請求項１に記載の画像機器。
【請求項３】
上記第２の波長域は、上記第１の波長域の少なくとも一部を包含し、且つ、上記第１の波長域よりも長波長側に広い波長域であることを特徴とする請求項１に記載の画像機器。
【請求項４】
上記第２のコーティングは上記第１のコーティングよりも光触媒効果が高いことを特徴とする請求項１に記載の画像機器。
【請求項５】
上記第１の波長域は紫外光域であって、上記第２の波長域は可視光域を含むことを特徴とする請求項１に記載の画像機器。
【請求項６】
撮影光学系からの光を受光する第１の受光素子と、
上記撮影光学系からの光を受光する第２の受光素子と、
上記撮影光学系の光路中に配され、上記撮影光学系から光束が入射する入射面と、入射した光束の透過光を射出する射出面とを有し、透過光を第１の受光素子に向けて射出し、反射光を第２の受光素子に向けて反射するハーフミラーと、
上記入射面に施され、第１の波長域の光に対し光触媒機能を持つ第１のコーティングと、
上記射出面に施され、第２の波長域の光に対し光触媒機能を持つ第２のコーティングと、
を具備することを特徴とするカメラ。
【請求項７】
上記第１の受光素子は被写体画像データを生成するための撮像素子であって、上記第２の受光素子は上記撮影光学系の焦点状態を検出するための測距素子であることを特徴とする請求項６に記載のカメラ。
【発明の詳細な説明】
【技術分野】
【０００１】
本発明は、入射面と射出面を有する光学素子を有する画像機器およびカメラに関する。
【背景技術】
【０００２】
カメラ等の画像機器においては、入射面と射出面を有する光学素子として、例えば、ハーフミラーが用いられている。このハーフミラーは、フィルムや撮像素子等の画像記録系とファインダ光学系等の２系統に被写体光束を分割する等の場合に使用されている。
【０００３】
また、最近のデジタルカメラにおいては、スルー画表示機能（ライブビュー表示機能、電子ファインダ機能とも言う）を有するものがある。この機能は、被写体像の観察として、被写体画像データの記録用に設けられている撮像素子の出力を液晶モニタ等の表示装置に表示するものである。このようなスルー画表示機能を有するデジタルカメラとして、例えば、特許文献１には、可動ミラーをハーフミラーで構成し、撮影光学系を通過した被写体光束を撮像素子と位相差ＡＦセンサの両方に導くようにしたデジタルカメラが提案されている。
【特許文献１】特開２００２−６２０８号公報
【０００４】
このようにハーフミラー等の光学素子を撮影光路内に配置すると、カメラ本体内に塵埃が進入し、ハーフミラーに付着することがある。この塵埃は、スルー画表示の際に被写体像に重なって表示されるので、被写体像の観察にあたって見苦しいものとなってしまう。そこで、塵埃除去の手段として、特許文献２に示されるような光触媒を利用することが考えられる。この特許文献２には、レンズ、ディスプレイ、ファインダおよびセンサ窓を光触媒層で覆い、これらのレンズ等に紫外線を照射することにより、レンズ等に付着した汚れを除去することが開示されている。
【特許文献２】特開２００５−２２１９２５号公報
【発明の開示】
【発明が解決しようとする課題】
【０００５】
しかしながら、光学素子の表面に光触媒層を設けるだけでは、光学素子の両面の汚れを除去することができない。これを解決するために、両面に光触媒層を設けたとしても、片面の汚れを除去するのに用いた光は、光触媒層で吸収されてしまい、他面には達しない。このため入射面と射出面の両面にて効果的に光触媒作用を発揮することができず、光学素子の両面に付着した塵埃を効果的に除去できない。
【０００６】
本発明は、このような事情を鑑みてなされたものであり、簡単な構成で入射面および射出面の汚れを除去することが可能な光学素子を有する画像機器およびカメラを提供することを目的とする。
【課題を解決するための手段】
【０００７】
上記目的を達成するため第１の発明に係わる画像機器は、光学的な画像を生成するための光路中に配され、光束が入射する入射面と、光束が射出される射出面とを有する光学素子と、上記入射面に施され、第１の波長域の光に対し光触媒機能を持つ第１のコーティングと、上記射出面に施され、第２の波長域の光に対し光触媒機能を持つ第２のコーティングを具備する。
【０００８】
第２の発明に係わる画像機器は、上記第１の発明において、上記第２の波長域は上記第１の波長域よりも広い。
また、第３の発明に係わる画像機器は、上記第１の発明において、上記第２の波長域は、上記第１の波長域の少なくとも一部を包含し、且つ、上記第１の波長域よりも長波長側に広い波長域である。
さらに、第４の発明に係わる画像機器は、上記第１の発明において、上記第２のコーティングは上記第１のコーティングよりも光触媒効果が高い。
さらに、第５の発明に係わる画像機器は、上記第１の発明において、上記第１の波長域は紫外光域であって、上記第２の波長域は可視光域を含む。
【０００９】
上記目的を達成するため第６の発明に係わるカメラは、撮影光学系からの光を受光する第１の受光素子と、上記撮影光学系からの光を受光する第２の受光素子と、上記撮影光学系の光路中に配され、上記撮影光学系から光束が入射する入射面と、入射した光束の透過光を射出する射出面とを有し、透過光を第１の受光素子に向けて射出し、反射光を第２の受光素子に向けて反射するハーフミラーと、上記入射面に施され、第１の波長域の光に対し光触媒機能を持つ第１のコーティングと、上記射出面に施され、第２の波長域の光に対し光触媒機能を持つ第２のコーティングを具備する。
【００１０】
第７の発明に係わるカメラは、上記第６の発明において、上記第１の受光素子は被写体画像データを生成するための撮像素子であって、上記第２の受光素子は上記撮影光学系の焦点状態を検出するための測距素子である。
【発明の効果】
【００１１】
本発明によれば、上記入射面に施され、第１の波長域の光に対し光触媒機能を持つ第１のコーティングと、上記射出面に施され、第２の波長域の光に対し光触媒機能を持つ第２のコーティングを具備するようにしたので、簡単な構成で入射面および射出面の汚れを除去することが可能な光学素子を有する画像機器およびカメラを提供することができる。
【発明を実施するための最良の形態】
【００１２】
以下、図面に従って本発明を適用したデジタルカメラを用いて好ましい一実施形態について説明する。図１は、本発明の実施形態に係るデジタルカメラについて背面からみた外観斜視図である。このデジタルカメラは、カメラ本体２０と、交換レンズとしてのレンズ鏡筒１０とから構成されている。レンズ鏡筒１０はカメラ本体２０の前面のマウント開口部（不図示）に着脱自在となっている。マウント開口部を介してレンズ鏡筒１０内のレンズ１０１ａ、１０１ｂ等（図２参照）からなる撮影レンズによる被写体光束がカメラ本体２０内に導かれる。本実施形態では、レンズ鏡筒１０とカメラ本体２０は別体で構成され、通信接点３００（図２参照）を介して電気的に接続されている。また、カメラ本体２０に設けた着脱検知スイッチ２５９（図２参照）によって着脱状態を検出可能となっている。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１４】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタスピード優先撮影モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。パワースイッチレバー２３はデジタルカメラの電源のオン・オフを行うための操作部材であり、オン・オフの２つの位置に回動可能に構成されている。コントロールダイヤル２４は回転可能に構成された操作部材であり、情報表示画面等において、コントロールダイヤル２４の回転操作により所望の設定値やモード等を選択することができる。
【００１５】
カメラ本体２０の背面には、背面液晶モニタ２６、再生釦２７、メニュー釦２８、十字釦３０、OK釦３１、ファインダ接眼部３３が配置されている。背面液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。なお、カメラ本体２０に対して角度を自在に変更できるよう構成しても良い。ファインダ接眼部３３は、被写体像を観察するための接眼窓であり、内部には後述するファインダ内液晶モニタ２９が配置されており、このファインダ接眼部３３を通じて被写体像を観察可能となっている。再生釦２７は、撮影後に記録した被写体画像を背面液晶モニタ２６に表示させることを指示するための操作釦である。再生釦２７の操作に応じて、後述するＳＤＲＡＭ２３８、または記録媒体２４５にＪＰＥＧ等の圧縮モードで記憶されている被写体の画像データが伸張された後、背面液晶モニタ２６に表示される。
【００１６】
十字釦３０は背面液晶モニタ２６上で、Ｘ方向とＹ方向の２次元方向にカーソルの移動を指示するための操作部材であり、また、記録媒体２４５に記録された被写体像を表示するにあたって、再生画像の選択にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、背面液晶モニタ２６にメニュー画面が表示される。メニュー画面は複数の階層構造となっており、十字釦３０で各種項目を選択し、ＯＫ釦３１の操作により選択を決定する。
【００１７】
これらのレリーズ釦２１、パワースイッチレバー２３、再生釦２７、メニュー釦２８、十字釦３０、ＯＫ釦３１はいずれもオン・オフスイッチと連動している。これらのオン・オフスイッチに連動する操作釦と、モードダイヤル２２、コントロールダイヤル２４等の操作部材の操作に応じて発生する信号がＡＳＩＣ(Application Specific Integrated Circuit  特定用途向け集積回路)２６２内のスイッチ検出回路２５３（図２参照）に送信される。
【００１８】
次に、図２を用いて、デジタルカメラの電気系を主とする全体構成を説明する。  
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１９】
カメラ本体２０内のミラーボックス内には、レンズ１０１ａ、１０１ｂを通過した光束の一部を透過する特性を有する可動の反射ミラー（便宜上、可動ハーフミラーという）２０１が配置されている。この可動ハーフミラー２０１のハーフミラーの両面には付着した塵埃等を除去するために、光触媒機能を有するコーティングが施されており、詳細は図６及び図７を用いて後述する。可動ハーフミラー２０１は、可動ミラー駆動機構２１５によって駆動され、回動軸２０１ａを中心に紙面垂直方向の軸に沿って回動可能である。可動ハーフミラー２０１がレンズ１０１ａ、１０１ｂの光路に対して４５度に傾いた位置（図２において実線の位置）にあるときには、被写体光束の一部（例えば、３０％）が反射され、カメラ本体２０の底部に設けられた測距／測光センサ２１７に導かれる。また被写体光束の残り（例えば、７０％）は、可動ハーフミラー２０１を透過してＣＣＤ２２１の方向に導かれる。そして、可動ハーフミラー２０１がレンズ１０１ａ、１０１ｂの光路と略平行で、被写体光束を遮らない退避位置（図２において二点鎖線の位置）にあるときには、被写体光束の全部がＣＣＤ２２１に導かれる。この可動ハーフミラー２０１の構造については、図３を用いて後述する。なお、本実施形態においては、可動ハーフミラー２０１の回動中心は、ミラーボックス内の下側であったが、これに限らず、上側でも良く、また左右のいずれかに紙面に対して平行な回動中心にしても勿論構わない。また、可動ハーフミラー２０１の回動中心は、ＣＣＤ２２１側に配置したが、これに限らず、マウント開口部側に配置しても勿論構わない。さらに、本実施形態においては、ハーフミラーの反射率と透過率はそれぞれ３０％と７０％であるが、この比率に限られず、適宜変更できる。
【００２０】
カメラ本体２０内のミラーボックスの底部であって、可動ハーフミラー２０１によって反射された光束が導かれる位置に測距／測光センサ２１７が配置されている。この測距／測光センサ２１７は測距用のセンサと測光センサから構成されており、測光センサは被写体像を分割して測光する多分割測光素子で構成されている。また、測距センサはＴＴＬ位相差法によって測距するためのセンサである。測距／測光センサ２１７の出力は測距／測光処理回路２１９に送られる。測距／測光処理回路２１９は、測光センサの出力に基づいて評価測光値を出力し、また測距センサの出力に基づいて、レンズ１０１、１０１ｂによって結像される被写体像の焦点ズレ量を測定する。なお、測距センサと測光センサは別体に構成しても、一体に構成しても良い。
【００２１】
可動ハーフミラー２０１の後方であって、レンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００２２】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２３】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３は画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２４】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部３３を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部３３およびファインダ内液晶モニタ２９を省略することも可能である。
【００２５】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、可動ミラー駆動機構２１５、測距／測光処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２６】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２７】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２８】
カメラ本体２０やレンズ鏡筒１０のパワー供給の制御を行うためのパワースイッチレバー２３に連動してオン・オフするパワースイッチ２５７と、シャッタレリーズ釦２１の第1ストロークや第２ストロークを検出するスイッチ、再生モードを指示する再生釦２７に連動するスイッチ、背面液晶モニタ２６の画面でカーソルの動きを指示する十字釦３０に連動するスイッチ、撮影モードを指示するモードダイヤル２２に連動するスイッチ、選択された各モード等を決定するＯＫ釦３１に連動するＯＫスイッチ、着脱検知スイッチ２５９等の各種スイッチ２５５は、スイッチ検出回路２５３を介してデータバス２６１に接続されている。
【００２９】
次に、図３を用いて、可動ハーフミラー２０１の駆動手段および退避手段について説明する。被写体光束の一部を透過し一部を反射するハーフミラー４０１はミラー枠４０３によって保持される。このミラー枠４０３は孔４０３ａに介挿される軸４１１の回りに回動自在であり、図２の回動軸２０１ａは、軸４１１の中心軸となる。カメラ本体２０に固定されたピン４０９とミラー枠４０３に植設された駆動ピン４０５の間には開きバネ４０７の両端がそれぞれ係合しており、この開きバネ４０７のコイル部分は軸４１１に巻装されている。この開きバネ４０７のバネ力によって、ミラー枠４０３は図中反時計方向（矢印Ａ方向）に付勢力を受けている。駆動ピン４０５と係止レバー４１３の一端が係合しており、この係止レバー４１３の他端に植設されたカムピン４１５はミラー用カム４１７に係接している。
【００３０】
係止レバー４１３は回動中心が不図示のミラーボックスに軸支されており、駆動ピン４０５を介して開きバネ４０７のバネ力によって図中反時計方向（矢印Ｂ方向）に付勢力を受けている。よって、係止レバー４１３のカムピン４１５がミラー用カム４１７のカム面に圧接している。ミラー用カム４１７のカム面は回転中心からの半径方向の長さが変化するように形成されている。すなわち、カム面上の係止位置４１７ａでは回転中心からの距離が長くなるように形成され、係止解除位置４１７ｂでは係止位置４１７ａに比して回転中心からの距離が短くなるように形成されている。そして図中反時計回り方向に係止位置４１７ａから係止解除位置４１７ｂへと段差４１７ｃをもってカム面が形成され、係止解除位置４１７ｂから係止位置４１７ａへと滑らかに変位するようにカム面が形成される。
【００３１】
ミラー用カム４１７の係止位置４１７ａがカムピン４１５と当接する位置にあるとき、係止レバー４１３はミラー用カム４１７により矢印Ｂ方向の回動が規制されていることから、ミラー枠４０３を反射位置に保持する。この状態から、段差４１７ｃを経て係止解除位置４１７ｂがカムピン４１５と当接する位置へとミラー用カム４１７を図中時計回りに回動させると、係止レバー４１３の矢印Ｂ方向への回動が可能となる。よって開きバネ４０７の付勢力により、ミラー枠４０３が矢印Ａ方向へと回動して退避位置へと変位する。なお、ミラー用カム４１７は図示しないモータによって回転駆動される。
【００３２】
このように可動ハーフミラー２０１を撮影光路内の反射位置（図３中実線で示す位置）へと駆動させる駆動手段は、ミラー用カム４１７、係止レバー４１３などを含む。また可動ハーフミラー２０１を撮影光路外の退避位置（図３中二点鎖線で示す位置）へと駆動する退避手段は、開きバネ４０７を含んでいる。なお、駆動手段や退避手段は、このような構成に限らず、可動ハーフミラー２０１を駆動できれば他の構成でも良い。
【００３３】
このように可動ハーフミラー２０１は構成されているので、図示しないモータにより、カムピン４１５が係止解除位置４１７ｂに接する位置に駆動されたときには、ミラー枠４０３および係止レバー４１３が開きバネ４０７の付勢力によって、矢印Ｂ方向に回動し、ミラー枠４０３は、図中、二点鎖線のように退避位置となる。この状態で、モータによってミラー用カム４１７を回動させ係止位置４１７ａがカムピン４１５と接する位置になると、係止レバー４１３は時計方向（矢印Ｂ方向と逆方向）に回動され、開きバネ４０７の付勢力に抗して駆動ピン４０５を介しミラー枠４０３を時計方向（矢印Ａ方向と逆方向）に回動させ、図中、実線の如き反射位置に位置させる。
【００３４】
次に、ハーフミラー４０１に施された塵埃等を除去するための光触媒機能について説明する。ハーフミラー４０１の基材となるガラス４５９は薄い平板であり、このガラス４５９の入射面側には光学薄膜４５７が設けられている。この光学薄膜４５７は、入射光束の一部を透過させ、一部を反射し、ハーフミラーとしての機能を果たしている。光学薄膜４５７の外側には、二酸化チタン膜（ＴｉＯ２膜）４５３で発生する電子によって光学薄膜４５７が侵されることを防止するための保護膜４５５が設けられている。
【００３５】
保護膜４５５の入射面側には、光触媒機能を有している二酸化チタン膜（ＴｉＯ２膜）４５３がコーティングされている。このＴｉＯ２膜４５３は、アナタース型、ルチル型、ブルッカイト型等の結晶で形成されている。このＴｉＯ２膜４５３の材料としては、例えば、図７に示す材料Ａのような光触媒効果を有している。ＴｉＯ２膜４５３の外側には、保護膜４５１が設けられており、ＴｉＯ２膜４５３が侵されることを防止している。なお、この保護膜４５１は設けなくても構わない。
【００３６】
ガラス４５９の射出面側には、保護膜４６１が設けられており、この保護膜４６１は外側にあるＴｉＯ２膜４６３によってガラス４５９が侵食されることを防止するための保護膜である。保護膜４６１の外側には、光触媒機能を有するＴｉＯ２膜４６３が設けられている。このＴｉＯ２膜４６３の材料としては、例えば、図６に示す材料Ｂのような光触媒効果を有している。なお、ＴｉＯ２膜４６３の素材はＴｉＯ２膜４５３の素材に比較し、異なる波長域で触媒効果が認められる材料であれば良く、図７に示すように一部の波長域で重複していても勿論構わない。ＴｉＯ２膜４６３の外側には、保護膜４５１と同様の保護膜４６５が設けられている。
【００３７】
次に、撮影レンズ１０１ａ、１０１ｂを透過した被写体光束が、ＴｉＯ２膜４５３およびＴｉＯ２膜４６３がコーティングされているハーフミラー４０１に入射した場合の光触媒機能について説明する。被写体光束のうち波長域Ａは主に紫外線領域であり、波長域Ｂは紫外線領域より可視光領域の４００ｎｍを超える領域である。波長域Ａの被写体光束が入射し、光触媒層であるＴｉＯ２膜４５３に達すると、波長域Ａの光線の作用により電子が発生し、表面の保護膜４５１を抜けてハーフミラー４０１の表面に到達する。この表面に達した電子４８１は空気中の酸素（Ｏ２）４８３と反応してオキシドイオン（Ｏ２−）４８５になる。このオキシドイオン４８５は非常に反応性の高い物質であり、ハーフミラー４０１の表面に付着した付着物４９３と化学反応を行い、この付着物４９３を分解する。
【００３８】
一方、ＴｉＯ２膜４５３で光触媒作用により電子が発生することにより、正孔も発生し、この正孔も保護膜４５１を抜けてハーフミラー４０１の表面に達する。表面に達した正孔４８７は、空気中の水（Ｈ２Ｏ）４８９と反応し、水酸ラジカル（ＯＨ）４９１が発生する。水酸ラジカルもまた反応性の高い物質であり、ハーフミラー４０１の表面に付着した付着物４９３と化学反応を起こし、付着物４９３を分解する。
【００３９】
ＴｉＯ２膜４５３のアナタース型、ルチル型、ブルッカイト型結晶は、３００ｎｍ〜４００ｎｍの波長域で光触媒効果を起こす。本実施形態においては、光学素子としてのハーフミラー４０１は、撮影レンズであるレンズ１０１ａ、１０１ｂとシャッタ２０３の間に設けられているので、レンズの絞り１０３が開いていれば、外光がハーフミラー４０１に入射し、この外光に含まれる紫外線（３００ｎｍ〜４００ｎｍ）により、上述した化学反応が起こり、ハーフミラー４０１に付着した塵埃等を分解することができる。このようにしてハーフミラー４０１の撮影レンズ側、すなわち入射面側は清浄な状態にすることができる。
【００４０】
ハーフミラー４０１の裏面側にあるＴｉＯ２膜４６３には、波長域Ａの光はＴｉＯ２膜４５３において吸収されてしまうので到達量が少ないが、４００ｎｍを超える波長域Ｂの光は到達する。ＴｉＯ２膜４６１は、前述したように、波長４００ｎｍを超える領域にも光触媒作用を持つ材料Ｂである。光触媒のメカニズムは入射面側と同様であるので、詳細な作用は省略するが、この光触媒作用によって、ハーフミラー４０１の裏面側、すなわち射出側に付着した塵埃等が分解される。
【００４１】
このように、本実施形態においては、ハーフミラー４０１の入射側（表面側）と射出側（裏面側）とでコーティングする光触媒材料の光触媒効果が効率的に発現する波長域を異ならせている。これは、上述したように、光触媒作用は光触媒に反応する光のエネルギにより発生するので、ハーフミラー４０１の表面側と裏面側に同一の波長域で光触媒反応を起こす光触媒をコーティングしたとすると、表面側では光触媒が効率的に反応するが、表面側で光エネルギが消費されてしまい、裏面側では充分な光触媒作用を得ることができない。このため、裏面側ではハーフミラー４０１に付着した塵埃等を充分除去することができなくなる。本実施形態では、光触媒効果が効率的に発現する波長領域を異ならせているので、このような問題は起こらず、ハーフミラー４０１の表面側と裏面側の両方で付着物を除去し清浄な状態を保つことが可能となる。図７に示すグラフでは、材料Ｂについて４００ｎｍを超える長波長側では効果量は落ちているが、太陽光の下では紫外線光に比較して可視光領域の光の強度は充分強いので、充分な光触媒効果を得ることができる。
【００４２】
なお、３００ｎｍ〜４００ｎｍの波長領域で光触媒機能を発揮する光触媒層としては、一般的な光触媒であるＴｉＯ２のアナタース型、ルチル型、ブルッカイト型結晶を用いれば良い。また、４００ｎｍを超える波長で光触媒機能を発揮する光触媒層としては、光活性のある燐酸カルシウム膜で二酸化チタン（ＴｉＯ２）膜を覆うことにより、４５０ｎｍ〜５００ｎｍの光に対して光触媒作用のあるものが実現できる。あるいはＴｉＯ２の酸素（Ｏ）とチタン（Ｔｉ）の比率を変えた膜によっても達成することができる。
【００４３】
次に、本発明の一実施形態におけるデジタルカメラの動作について図４および図５に示すフローチャートを用いて説明する。図４に示すパワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ５以下においてパワースイッチオンのための処理を行う。パワースイッチがオンとなるまでは、パワースイッチ割り込み処理以外の動作を停止し、電源電池の消耗を防止する。ステップＳ１において、パワースイッチ２５７がオンであった場合には、ステップＳ２に進み、着脱スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバー２３が操作され、パワーオンとなった場合に、レンズ離脱時と同様な処理をするためである。ステップＳ２において、着脱スイッチ２５９がオンであった場合には、ステップＳ５以下に進み、パワースイッチオンのための処理を行う。
【００４４】
ステップＳ５では、可動ハーフミラー２０１の復帰を行う。これは、パワースイッチ２５７がオフの状態では、可動ハーフミラー２０１は撮影光路から退避した位置にあるが（図２において二点鎖線の状態）、パワースイッチ２５７のオンに応じて、レンズ鏡筒１０からの被写体光束を測距／測光センサ２１７に導き、測光および測距を行うためである。次に、防塵フィルタ２０５における塵埃除去動作を行う（Ｓ７）。これは防塵フィルタ２０５に固着された圧電素子２０７に防塵フィルタ駆動回路２１１から駆動電圧を印加し、前述したように超音波によって塵埃等を除去する動作である。
【００４５】
続いて、シャッタ駆動回路２１３によってシャッタ２０３の開放動作を行う（Ｓ９）。これによって、可動ハーフミラー２０１を透過した被写体光束は、シャッタ２０３によって遮られないので、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００４６】
次に、モードダイヤル２２等によって設定された撮影モードや、ＩＳＯ感度、マニュアル設定されたシャッタ速度や絞り値等の情報があればそれらの撮影条件の読み込みを行う（Ｓ１３）。そして、測距／測光センサ２１７によって被写体輝度を測光し、露光量を演算し、この露光量を用いて撮影モード・撮影条件に従ってシャッタ速度や絞り値等の露光制御値の演算を行う（Ｓ１５）。また、測光値や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた測光・露光量の演算結果、もしくは前回の表示画像を用いて、背面液晶モニタ２６および／またはファインダ内液晶２９に適切な明るさ（明度）の像を表示するための演算と設定を行う。
【００４７】
次に、ステップＳ１９に進み、再生モードか否かの判定を行う。この再生モードは、再生釦２７が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦２１の半押し等、他の手動操作がなされた場合には、再生動作を終了してステップＳ７に戻り、前述の動作を繰り返す。
【００４８】
ステップＳ１９に戻り、再生モードが設定されていなかった場合には、ステップＳ２１に進み、メニューモードが設定されているか否かを判定する。これは、メニュー釦２８が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００４９】
ステップＳ２１に戻り、判定の結果、メニューモードが設定されていなかった場合には、ステップＳ２３に進み、レリーズ釦２１が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図５を用いて後述する。撮影動作のサブルーチンが終了すると、ステップＳ７に戻り、前述のステップを繰り返す。
【００５０】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、シャッタ２０３の閉じ動作を行う（Ｓ４７）。この後、可動ハーフミラー２０１の退避動作を行う（Ｓ４９）。退避動作は、前述したように、モータを駆動してミラー用カム４１７を回動させ、開きバネ４０７の付勢力によってミラー枠４０３を撮影光路から退避した位置に回動させることにより行う（図２および図３の二点鎖線の位置）。
【００５１】
可動ハーフミラー２０１の退避が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ５５に進み、可動ハーフミラー２０１を復帰させる。これは、前述したように、モータを駆動してミラー用カム４１７を回動させ、開きバネ４０７の付勢力に抗して、カム面によって係止レバー４１３を時計方向に回動させ、ミラー枠４０３をレンズ１０１ａ、１０１ｂの光路中に介挿させる。可動ハーフミラー２０１の復帰が終わると、ステップＳ７に戻り、前述のステップを繰り返す。
【００５２】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバー２３の操作状態の判定を繰り返し行う待機状態となる。ステップＳ５３において、パワースイッチ２５７がオフと判定されると、ステップＳ３に戻り、スリープ状態になる。なお、ステップＳ５１において、レンズ鏡筒１０が離脱されたままであることを検出した場合に、ステップＳ５３の判定を省略して、ステップＳ３に進みスリープ状態としてもよく、また、ステップＳ９に進み、各種操作釦による操作に基づく動作を行う等の変形は可能である。
【００５３】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動ハーフミラー２０１を透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。この後、前述のステップＳ４９と同様にして、可動ハーフミラー２０１の退避動作を行った後（Ｓ３０）、ステップＳ３に戻りスリープ状態となる。
【００５４】
このように、本実施形態においては、スルー画表示可能なデジタルカメラにおいて、パワーオン時に可動ハーフミラー２０１を撮影光路中に介挿し、被写体光束の一部を測距／測光センサ２１７に反射させているので、パワーオン時に直ちに測光や測距を行うことができ便利である。
【００５５】
次に、ステップＳ４３の撮影動作のサブルーチンについて図５を用いて説明する。このサブルーチンは前述したように、レリーズ釦２１の半押しがなされると実行される。まず、測距・自動焦点調節を行う（Ｓ７１）。これは、可動ハーフミラー２０１が撮影光路中に介挿され、被写体光束の一部が測距／測光センサ２１７に反射しているので、この被写体光束を用いて測距／測光処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。
【００５６】
次に、測光／露光量演算を行う（Ｓ７３）。これも可動ハーフミラー２０１によって反射された被写体光束を測距／測光センサ２１７が受光し、測距／測光処理回路２１９によって処理することにより、被写体輝度ＢＶを検出する。ボディＣＰＵ２２９は、この被写体輝度ＢＶを用いて露光量ＥＶを求め、さらに撮影モード等に従ってシャッタ速度や絞り等の露出条件を求める。
【００５７】
次に、レリーズ釦２１の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦２１の半押し動作で、この撮影動作のサブルーチンにジャンプしてきて、レリーズ釦２１が半押しのままの場合には、このステップＳ７５とＳ７７で繰り返し判定を行う待機状態となる。レリーズ釦２１から手が離れ、１Ｒがオフとなると、パワーオンリセットのステップＳ９に戻る。
【００５８】
ステップＳ７５に戻り、判定の結果、２Ｒスイッチがオンであった場合、すなわちレリーズ釦２１が全押しされた場合には、静止画像取得のための撮像動作に移る。まず、ステップＳ７９において、画像処理回路２２７に対してスルー画停止の指示を出力する。これは静止画像取得にあたって、可動ハーフミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。続いて、ステップＳ４９と同様にして可動ハーフミラー２０１の退避動作を行う（Ｓ８１）。
【００５９】
続いて、設定絞り値またはＳ７３で演算された絞り値まで絞り１０３の絞込み動作を、レンズＣＰＵ１１１を介し絞り駆動機構１０９によって行う。絞込み動作が終わると、次にＣＣＤ２２１による露光動作を行う（Ｓ８５）。すなわち、可動ハーフミラー２０１は退避位置に移動していることから、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００６０】
続いて、シャッタ２０３の閉じ動作を行い、（Ｓ８７）、絞り１０３の開放動作の指示をレンズＣＰＵ１１１に出力する（Ｓ８９）。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦２１が半押し状態であるか否かを判定する。１Ｒスイッチがオフとなると、ステップＳ９７に進み、ステップＳ５５と同様にして、可動ハーフミラー２０１の復帰動作を行う。復帰動作が終わると、パワーオンリセットのルーチンに戻る。
【００６１】
以上説明したように、本実施形態においては、ハーフミラー４０１の入射面側に第１の波長域の光、すなわち３００ｎｍ〜４００ｎｍの波長に対し光触媒機能を持つ光触媒層４５３をコーティングし、射出面側に第２の波長域、すなわち４００ｎｍを超える波長に対して光触媒機能を持つ光触媒層４６３をコーティングしている。このためハーフミラー４０１の入射面側だけではなく、射出面側も光触媒機能によって、ハーフミラー４０１に付着した塵埃等を分解し、除去することができ、清浄に保つことができる。
【００６２】
また、本実施形態においては、スルー画表示可能なデジタルカメラにおいて、カメラの作動時に可動ハーフミラー２０１を撮影光路中に介挿し、被写体光束の一部を測距／測光センサ２１７に反射させているので、スルー画表示中にレリーズ釦２１が半押しされ、１Ｒがオンとなったとき、直ちに測光や測距をスルー画表示と並行して行うことができ便利である。
【００６３】
なお、本実施形態においては、光触媒層４５３、４５６として、二酸化チタン（ＴｉＯ２）を用いたが、光触媒機能のある物質であれば、これに限らない。また、ハーフミラー４０１の射出面側のＴｉＯ２４６３は、紫外光領域でも光触媒作用のある材料を使用していたが、この領域での光触媒作用はなくても構わない。さらに、入射面側のＴｉＯ２４５３は紫外線領域で光触媒作用があり、射出面側のＴｉＯ２４６３は可視光領域で光触媒作用があったが、逆でも勿論構わない。さらに、本実施形態においては、３００ｎｍ〜４００ｎｍの領域とそれ以上の領域で分けて使用したが、この波長領域は、適宜変更することができる。
【００６４】
また、本実施形態においては、撮像素子としてのＣＣＤ２２１は可動ハーフミラー２０１の透過光を受光し、測距／測光センサ２１７は可動ハーフミラー２０１の反射光を受光していたが、これとは逆にＣＣＤ２２１は反射光を、測距／測光センサ２１７は透過光を受光するように構成しても良い。
【００６５】
本実施形態においては、本発明の適用される光学素子としてハーフミラーについて説明したが、これに限らず、例えば、カメラの撮影レンズ、監視カメラのレンズ、液晶プロジェクタ等の各種投影機の投影用レンズ、顕微鏡、内視鏡、双眼鏡、眼鏡等の各種レンズや光学素子など、光学素子単体または入射面と射出面を有する光学系を有する画像機器であれば適用できることは勿論である。このように、本発明は、一般的なデジタルカメラに限らず、ハーフミラー・レンズ等の光学素子・光学系に塵埃等が付着する可能性のある画像機器であれば適用できる。
【図面の簡単な説明】
【００６６】
【図１】本発明の一実施形態におけるデジタルカメラを背面から見た外観斜視図である。
【図２】本発明を適用した一実施形態におけるデジタルカメラの電気系の全体構成を示すブロック図である。
【図３】本発明の一実施形態における可動ハーフミラーの部品構成を示す斜視図である。
【図４】本発明の一実施形態におけるパワーオンリセットの動作を示すフローチャートである。
【図５】本発明の一実施形態における撮影動作のフローチャートである。
【図６】本発明の一実施形態におけるハーフミラーの構成を示す断面図である。
【図７】本発明の一実施形態における光触媒機能を有する材料の光の波長と光触媒効果を示すグラフである。
【符号の説明】
【００６７】
１０  レンズ鏡筒
２０  カメラ本体
２６  背面液晶モニタ
１０１ａ、１０１ｂ  レンズ
１０３  絞り
１１１  レンズＣＰＵ
２０１  可動ハーフミラー
２０３  シャッタ
２１５  可動ミラー駆動機構
２１７  測距／測光センサ
２１９  測距／測光処理回路
２２１  ＣＣＤ
４０１  ハーフミラー
４０３  ミラー枠
４５１  保護膜
４５３  ＴｉＯ２膜（光触媒層）
４５５  保護膜
４５７  光学薄膜
４５９  ガラス
４６１  保護膜
４６３  ＴｉＯ２膜（光触媒層）
４６５  保護膜
４７１  波長域Ａ
４７３  波長域Ｂ
４８１  電子
４８３  酸素
４８５  オキシドイオン
４８７  正孔
４８９  水
４９１  水酸ラジカル
４９３  付着物
【図３】
2008042488.tif 000003
【図１】
2008042488.tif 000004
【図２】
2008042488.tif 000005
【図４】
2008042488.tif 000006
【図５】
2008042488.tif 000007
【図６】
2008042488.tif 000008
【図７】
2008042488.tif 000009